(57)【要約】【課題】本発明は硬い微粒損害を減少する用の蒸気タービンを開示した。【解決手段】第一装置本体と、前記第一装置本体の中に設置される蒸気輸送装置と、前記第一装置本体の中に設置される硬い微粒除去装置と、前記第一装置本体の中に設置される安全装置とを含み、前記蒸気輸送装置は前記第一装置本体の中に設置される第一キャビティーを含み、前記第一キャビティーの左側内壁の中には第一通路が連通して設置され、前記第一通路の左側内壁の中にエアポンプ が固設され、本装置は操作が簡単で、使用が便利で、蒸気に対して回数を重ねて硬い微粒を除去し、硬い微粒によるタービン内の部品、通路及び内壁に致す損害を減少することができる上に、蒸気を圧縮して圧力値の過大をもたらした時に蒸気の進入を自動的に止めて蒸気を排出することによって減圧する。【選択図】図１
2020070799.tif 000002
【特許請求の範囲】
【請求項１】
第一装置本体と、前記第一装置本体の中に設置される蒸気輸送装置と、前記第一装置本体の中に設置される硬い微粒除去装置と、前記第一装置本体の中に設置される安全装置とを含み、前記蒸気輸送装置は前記第一装置本体の中に設置される第一キャビティーを含み、前記第一キャビティーの左側内壁の中には第一通路が連通して設置され、前記第一通路の左側内壁の中にエアポンプ が固設され、前記エアポンプ の左端には第二通路が連通して設置され、前記第二通路の左側内壁の中には進入通路が連通して貫設され、前記第一装置本体の左端には前記進入通路に正対したボイラが固設され、前記第一通路の上側内壁の中に第一歯車キャビティーが設置され、前記第一歯車キャビティーの中に第一平歯車が回転できるように設置され、前記第一平歯車の右端には前記第一キャビティーの中に延伸して挿入する回転軸を介して第一転輪が固定的に接続され、前記第一転輪の円周面には規則的に分布する第一吸着ブレードが四枚固設され、前記第一平歯車の上端には第二平歯車が噛合設置され、前記第二平歯車の上端には第三平歯車が噛合設置され、前記第三平歯車の右端には前記第一キャビティーの中に延伸して挿入する回転軸を介して第一傘歯車が固定的に接続され、前記第一傘歯車の後端には第二傘歯車が噛合設置され、前記第二傘歯車の後端に回転軸を介してクランクが固定的に接続され、前記クランクの前端右側にコンロッドがヒンジで接続され、前記第一キャビティーの中に第一吸着膜がスライドできるように設置され、前記第一吸着膜の上端面の中にスライダが固設され、前記スライダの中には上方に開口した第二キャビティーが設置され、前記コンロッドの下端が前記第二キャビティーの前後両側の内壁の間に回転できるように係合接続あれ、前記第一通路の下側内壁の中に第二歯車キャビティーが設置され、前記第二歯車キャビティーの中に第四平歯車が回転できるように設置され、前記第四平歯車の右端には前記第一キャビティーの中に延伸して挿入する回転軸を介して第二転輪が固定的に接続され、前記第二転輪の円周面には規則的に分布する第二吸着ブレードが四枚固設され、前記第四平歯車の下端には第五平歯車が噛合設置され、前記第五平歯車の右端に第一回転軸が固定的に接続され、前記第一キャビティーの右側内壁の中には第三通路が連通して設置され、前記第三通路の下側内壁の中にはカムキャビティーが連通して設置され、前記第一回転軸の右端が延伸して前記カムキャビティーの中に挿入し、且つ前記第一回転軸の右端にカムが固定的に接続され、前記カムの上端には第一ストッパが当接設置され、前記第三通路の上側内壁の中には前記カムキャビティーに正対する第三キャビティーが連通し設置され、前記第一ストッパの上端が前記第三キャビティーの中にスライドすることができ、前記第一キャビティーの中には第三転輪が設置され、前記第三転輪の右端が回転軸を介して前記第一キャビティーの右側内壁の中に回転できるように係合接続され、前記第三転輪の円周面には規則的に分布する第三吸着ブレードが四枚固設され、前記第三通路の上側内壁の中に第三歯車キャビティーが設置され、前記第三歯車キャビティーの中に第六平歯車が回転できるように設置され、前記第六平歯車の左端���は前記第一キャビティーの中に延伸して挿入する回転軸を介して第四転輪が固定的に接続され、前記第四転輪の円周面には規則的に分布する第四吸着ブレードが四枚固設され、前記第三歯車キャビティーの右側内壁の中に第四歯車キャビティーが設置され、前記第六平歯車の右端には前記第四歯車キャビティーの中に延伸して挿入する回転軸を介して第三傘歯車が固定的に接続され、前記第三傘歯車の後端と噛み合って第四傘歯車が設置され、前記第四歯車キャビティーの後側内壁の中に第五歯車キャビティーが設置され、前記第四傘歯車の後端には前記第五歯車キャビティーの中に延伸して挿入する回転軸を介してセクタ歯車が固定的に接続され、前記セクタ歯車の下端には第七平歯車が噛み合いでき、且つスライドできるように設置され、前記第七平歯車の中には前に開口した第四キャビティーが設置され、前記第七平歯車の前側には第二回転軸が接続できるように設置され、前記第二回転軸の前端が前記第三通路の中に延伸して挿入し、且つ前記第二回転軸の前端に第二ストッパが固定的に接続され、前記第二ストッパの右端には前記第三通路に連通して第四通路が設置され、前記第四通路の他端が前記エアポンプに連通されることを特徴とする硬い微粒損害を減少する用の蒸気タービン。
【請求項２】
前記第四通路の右側内壁の中に第一接続ブロックが固設され、前記第一接続ブロックの中には左に開口し、且つ上下に貫通する第五キャビティーが設置され、前記第四通路の下側内壁の中に連通して第五通路が設置され、前記第五通路の上下両側の内壁の間には第一逆止弁が固設され、前記第五通路の右側内壁の中には第六キャビティーが連通して設置され、前記第六キャビティーの中に第三回転軸が設置され、前記第三回転軸の前端が前記第六キャビティーの前側内壁に回転できるように係合接続され、前記第三回転軸の後端が延伸して外界に伸びて他装置に接続し、前記第三回転軸の円周面にロータが固設され、前記ロータの円周面には規則的に分布するブレードが七枚固設され、前記第六キャビティーの右側内壁の中には排出通路が連通して貫設され、蒸気が前記排出通路を通して排出でき、前記第六キャビティーの下側内壁の中には第六通路が連通して設置され、前記第六通路の中に左右両側の内壁の間には第二逆止弁が固設され、前記第六通路の左側内壁の中には第七通路が連通して設置され、前記第七通路の他端が前記エアポンプと連通し、前記硬い微粒除去装置は前記第六平歯車の上端と噛み合う第八平歯車を含み、前記第三歯車キャビティーの左側内壁の中に第六歯車キャビティーが設置され、前記第八平歯車の左端には第六歯車キャビティーの中に延伸して挿入する回転軸を介して第五傘歯車が固定的に接続され、前記第五傘歯車の後端には第六傘歯車が噛合設置され、前記第六歯車キャビティーの後側内壁の中に第七キャビティーが設置され、前記第六傘歯車の後端には前記第七キャビティーの中に延伸して挿入する回転軸を介して第一固定輪が固定的に接続され、前記第七キャビティーの上側内壁の中には第一連通溝が連通して設置され、前記第一連通溝の上側内壁の中には第八キャビティーが設置され、前記第八キャビティーの中に第二固定輪が回転できるように設置され、前記第二固定輪が回転軸を介して前記第八キャビティーの後側内壁に回転できるように係合接続され、前記第一固定輪の左端円周面に第二吸着膜が巻き付くように設置され、前記第二吸着膜の一端が前記第一連通溝を貫通して前記第八キャビティーの中に延伸挿入し且つ前記第二固定輪の左端の円周面に周設され、前記第八キャビティーの右側内壁の中には前記第四通路に連通する第二連通溝が連通して設置され、前記第四通路の右側内壁の中には第九キャビティーが連通して設置され、前記第九キャビティーの中には第三固定輪が上下対称して回転できるように設置され、前記第三固定輪の前後両端が回転軸を介して前記第九キャビティーの前後両側内壁に回転できるように係合接続され、前記第二吸着膜の一端が前記第二連通溝と前記第四通路を貫通して前記第九キャビティーの中に延伸挿入し、前記第二吸着膜の一端が前記第三固定輪の右端の円周面に周設され、且つ、前記第三固定輪のもう一端と接続されることを特徴とする請求項１に記載の硬い微粒損害を減少する用の蒸気タービン。
【請求項３】
前記安全装置は、前記第一通路の後側内壁の中には第一スライド溝が連通して設置され、前記第一スライド溝の中に第一スライダがスライドできるように設置され、前記第一スライダの中には左に開口した引っ掛かり溝が設置され、前記第一スライダの後端と前記第一スライド溝の後側内壁との間に接圧ばねが接続され、前記第一スライド溝の左右両側内壁の中には第二スライド溝が連通して設置され、前記第二スライド溝の左側内壁の中には第十キャビティーが連通して設置され、前記第十キャビティーの左側内壁の中には前記進入通路と連通する第三スライド溝が連通し設置され、前記第二スライド溝の中には第二スライダがスライドできるように設置され、前記第二スライダの左端が前記第十キャビティーの中に延伸挿入し、前記第十キャビティーの中には右端が前記第にスライダと固定的に接続する第三スライダがスライドできるように設置され、前記第三スライド溝の中に第三ストッパがスライドできるように設置され、前記進入通路の前側内壁の中には前記第三スライド溝に正対する第十一キャビティーが連通して設置され、前記第三ストッパが前記第十一キャビティーの中にスライドできるということを含むことを特徴とすることを特徴とする請求項１に記載の硬い微粒損害を減少する用の蒸気タービン。
【請求項４】
前記カムキャビティーの右側内壁の中には第一ガイド溝が連通して設置され、前記第一ガイド溝の中には前記第一ストッパに固定的に接続する第一ガイドブロックがスライドできるように設置され、前記第一ガイドブロックの下端と前記第一ガイド溝の下側内壁との間に第一ばねが接続され、前記第二ガイド溝の後側内壁の中には第二ガイド溝が連通して設置され、前記第二ガイド溝の中には前記第二スライダに固定的に接続する第二ガイドブロックがスライドできるように設置され、前記第二ガイドブロックの左端と前記第二ガイド溝の左側内壁との間に第二ばねが接続され、前記第三スライド溝の左側内壁の中には第三ガイド溝が連通して設置され、前記第三ガイド溝の中には前記第三ストッパに固定的に接続する第三ガイドブロックがスライドできるように設置され、前記第三ガイドブロックの前端と前記第三ガイド溝の前側内壁との間に第三ばねが接続されることを特徴とすることを特徴とする請求項１に記載の硬い微粒損害を減少する用の蒸気タービン。
【請求項５】
前記第七平歯車の後端には第二接続ブロックが回転できるように係合接続され、前記第五歯車キャビティーの後側内壁の中には第一スルーホールが連通して貫設され、前記第二接続ブロックの後端が前記第一スルーホールを通過し、前記第二接続ブロックの後端にコネクティングロッドが固定的に接続され、前記コネクティングロッドの後端にプッシュブロックが固定的に接続され、前記第二接続ブロックの中には上方に開口した第十二キャビティーが設置され、前記第一スルーホールの上側内壁の中には第四スライド溝が連通して設置され、前記第四スライド溝の中には第四スライダがスライドできるように設置され、前記第四スライダの上端と前記第四スライド溝の上側内壁との間に第四ばねが接続されることを特徴とする硬い微粒損害を減少する用の蒸気タービン。
【発明の詳細な説明】
【技術分野】
【０００１】
本発明は蒸気タービン装置分野を取り上げて、具体的には硬い微粒損害を減少する用の蒸気タービンである。
【背景技術】
【０００２】
現有の蒸気タービンの中の蒸気は基本的にはボイラにより直接蒸気タービンの通路の中に噴射し、蒸気の中には燃焼した後で生成した様々な硬い微粒が混在しており、蒸気タービンの通路内壁と、高中圧キャビティー内壁とロータブレードに損害を与え、蒸気タービンの使用寿命を低下させ、このため、硬い微粒が装置内部への損害を減少する用の改良された蒸気タービンが必要となり、本発明の装置は蒸気に対して回数を重ねて硬い微粒を除去し、硬い微粒によるタービン内の部品、通路及び内壁に致す損害を減少することができる上に、蒸気を圧縮して圧力値の過大をもたらした時に蒸気の進入を自動的に止めて蒸気を排出することによって減圧し、また硬い微粒吸着ブレードと硬い微粒吸着膜を取り替え、定期的にロータブレードを拭けば改めて使用できるようになり、蒸気タービンの使用寿命を延長できる。
【先行技術文献】
【特許文献】
【０００３】
【特許文献１】中国特許出願公開第101344019号明細書
【発明の概要】
【発明が解決しようとする課題】
【０００４】
本発明は解決する必要な技術問題が硬い微粒損害を減少する用の蒸気タービンを提供し、それは上記の従来技術における問題を解決できる。
【課題を解決するための手段】
【０００５】
本発明は以下の技術プランを通じて実現する。本発明の硬い微粒損害を減少する用の蒸気タービンは、第一装置本体と、前記第一装置本体の中に設置される蒸気輸送装置と、前記第一装置本体の中に設置される硬い微粒除去装置と、前記第一装置本体の中に設置される安全装置とを含み、前記蒸気輸送装置は前記第一装置本体の中に設置される第一キャビティーを含み、前記第一キャビティーの左側内壁の中には第一通路が連通して設置され、前記第一通路の左側内壁の中にエアポンプ が固設され、前記エアポンプ の左端には第二通路が連通して設置され、前記第二通路の左側内壁の中には進入通路が連通して貫設され、前記第一装置本体の左端には前記進入通路に正対したボイラが固設され、前記第一通路の上側内壁の中に第一歯車キャビティーが設置され、前記第一歯車キャビティーの中に第一平歯車が回転できるように設置され、前記第一平歯車の右端には前記第一キャビティーの中に延伸して挿入する回転軸を介して第一転輪が固定的に接続され、前記第一転輪の円周面には規則的に分布する第一吸着ブレードが四枚固設され、前記第一平歯車の上端には第二平歯車が噛合設置され、前記第二平歯車の上端には第三平歯車が噛合設置され、前記第三平歯車の右端には前記第一キャビティーの中に延伸して挿入する回転軸を介して第一傘歯車が固定的に接続され、前記第一傘歯車の後端には第二傘歯車が噛合設置され、前記第二傘歯車の後端に回転軸を介してクランクが固定的に接続され、前記クランクの前端右側にコンロッドがヒンジで接続され、前記第一キャビティーの中に第一吸着膜がスライドできるように設置され、前記第一吸着膜の上端面の中にスライダが固設され、前記スライダの中には上方に開口した第二キャビティーが設置され、前記コンロッドの下端が前記第二キャビティーの前後両側の内壁の間に回転できるように係合接続あれ、前記第一通路の下側内壁の中に第二歯車キャビティーが設置され、前記第二歯車キャビティーの中に第四平歯車が回転できるように設置され、前記第四平歯車の右端には前記第一キャビティーの中に延伸して挿入する回転軸を介して第二転輪が固定的に接続され、前記第二転輪の円周面には規則的に分布する第二吸着ブレードが四枚固設され、前記第四平歯車の下端には第五平歯車が噛合設置され、前記第五平歯車の右端に第一回転軸が固定的に接続され、前記第一キャビティーの右側内壁の中には第三通路が連通して設置され、前記第三通路の下側内壁の中にはカムキャビティーが連通して設置され、前記第一回転軸の右端が延伸して前記カムキャビティーの中に挿入し、且つ前記第一回転軸の右端にカムが固定的に接続され、前記カムの上端には第一ストッパが当接設置され、前記第三通路の上側内壁の中には前記カムキャビティーに正対する第三キャビティーが連通し設置され、前記第一ストッパの上端が前記第三キャビティーの中にスライドすることができ、前記第一キャビティーの中には第三転輪が設置され、前記第三転輪の右端が回転軸を介して前記第一キャビティーの右側内壁の中に回転できるように係合接続され、前記第三転輪の円周面には規則的に分布する第三吸着ブレードが四枚固設され、前記第三通路の上側内壁の中に第三歯車キャビティーが設置さ���、前記第三歯車キャビティーの中に第六平歯車が回転できるように設置され、前記第六平歯車の左端には前記第一キャビティーの中に延伸して挿入する回転軸を介して第四転輪が固定的に接続され、前記第四転輪の円周面には規則的に分布する第四吸着ブレードが四枚固設され、前記第三歯車キャビティーの右側内壁の中に第四歯車キャビティーが設置され、前記第六平歯車の右端には前記第四歯車キャビティーの中に延伸して挿入する回転軸を介して第三傘歯車が固定的に接続され、前記第三傘歯車の後端と噛み合って第四傘歯車が設置され、前記第四歯車キャビティーの後側内壁の中に第五歯車キャビティーが設置され、前記第四傘歯車の後端には前記第五歯車キャビティーの中に延伸して挿入する回転軸を介してセクタ歯車が固定的に接続され、前記セクタ歯車の下端には第七平歯車が噛み合いでき、且つスライドできるように設置され、前記第七平歯車の中には前に開口した第四キャビティーが設置され、前記第七平歯車の前側には第二回転軸が接続できるように設置され、前記第二回転軸の前端が前記第三通路の中に延伸して挿入し、且つ前記第二回転軸の前端に第二ストッパが固定的に接続され、前記第二ストッパの右端には前記第三通路に連通して第四通路が設置され、前記第四通路の他端が前記エアポンプに連通され、前記第四通路の右側内壁の中に第一接続ブロックが固設され、前記第一接続ブロックの中には左に開口し、且つ上下に貫通する第五キャビティーが設置され、前記第四通路の下側内壁の中に連通して第五通路が設置され、前記第五通路の上下両側の内壁の間には第一逆止弁が固設され、前記第五通路の右側内壁の中には第六キャビティーが連通して設置され、前記第六キャビティーの中に第三回転軸が設置され、前記第三回転軸の前端が前記第六キャビティーの前側内壁に回転できるように係合接続され、前記第三回転軸の後端が延伸して外界に伸びて他装置に接続し、前記第三回転軸の円周面にロータが固設され、前記ロータの円周面には規則的に分布するブレードが七枚固設され、前記第六キャビティーの右側内壁の中には排出通路が連通して貫設され、蒸気が前記排出通路を通して排出でき、前記第六キャビティーの下側内壁の中には第六通路が連通して設置され、前記第六通路の中に左右両側の内壁の間には第二逆止弁が固設され、前記第六通路の左側内壁の中には第七通路が連通して設置され、前記第七通路の他端が前記エアポンプと連通する。
【０００６】
更の技術プランとして、前記硬い微粒除去装置は前記第六平歯車の上端と噛み合う第八平歯車を含み、前記第三歯車キャビティーの左側内壁の中に第六歯車キャビティーが設置され、前記第八平歯車の左端には第六歯車キャビティーの中に延伸して挿入する回転軸を介して第五傘歯車が固定的に接続され、前記第五傘歯車の後端には第六傘歯車が噛合設置され、前記第六歯車キャビティーの後側内壁の中に第七キャビティーが設置され、前記第六傘歯車の後端には前記第七キャビティーの中に延伸して挿入する回転軸を介して第一固定輪が固定的に接続され、前記第七キャビティーの上側内壁の中には第一連通溝が連通して設置され、前記第一連通溝の上側内壁の中には第八キャビティーが設置され、前記第八キャビティーの中に第二固定輪が回転できるように設置され、前記第二固定輪が回転軸を介して前記第八キャビティーの後側内壁に回転できるように係合接続され、前記第一固定輪の左端円周面に第二吸着膜が巻き付くように設置され、前記第二吸着膜の一端が前記第一連通溝を貫通して前記第八キャビティーの中に延伸挿入し且つ前記第二固定輪の左端の円周面に周設され、前記第八キャビティーの右側内壁の中には前記第四通路に連通する第二連通溝が連通して設置され、前記第四通路の右側内壁の中には第九キャビティーが連通して設置され、前記第九キャビティーの中には第三固定輪が上下対称して回転できるように設置され、前記第三固定輪の前後両端が回転軸を介して前記第九キャビティーの前後両側内壁に回転できるように係合接続され、前記第二吸着膜の一端が前記第二連通溝と前記第四通路を貫通して前記第九キャビティーの中に延伸挿入し、前記第二吸着膜の一端が前記第三固定輪の右端の円周面に周設され且つ前記第三固定輪のもう一端と接続される。
【０００７】
更の技術プランとして、前記安全装置は、前記第一通路の後側内壁の中には第一スライド溝が連通して設置され、前記第一スライド溝の中に第一スライダがスライドできるように設置され、前記第一スライダの中には左に開口した引っ掛かり溝が設置され、前記第一スライダの後端と前記第一スライド溝の後側内壁との間に接圧ばねが接続され、前記第一スライド溝の左右両側内壁の中には第二スライド溝が連通して設置され、前記第二スライド溝の左側内壁の中には第十キャビティーが連通して設置され、前記第十キャビティーの左側内壁の中には前記進入通路と連通する第三スライド溝が連通し設置され、前記第二スライド溝の中には第二スライダがスライドできるように設置され、前記第二スライダの左端が前記第十キャビティーの中に延伸挿入し、前記第十キャビティーの中には右端が前記第にスライダと固定的に接続する第三スライダがスライドできるように設置され、前記第三スライド溝の中に第三ストッパがスライドできるように設置され、前記進入通路の前側内壁の中には前記第三スライド溝に正対する第十一キャビティーが連通して設置され、前記第三ストッパが前記第十一キャビティーの中にスライドできるということを含む。
【０００８】
更の技術プランとして、前記カムキャビティーの右側内壁の中には第一ガイド溝が連通して設置され、前記第一ガイド溝の中には前記第一ストッパに固定的に接続する第一ガイドブロックがスライドできるように設置され、前記第一ガイドブロックの下端と前記第一ガイド溝の下側内壁との間に第一ばねが接続され、前記第二ガイド溝の後側内壁の中には第二ガイド溝が連通して設置され、前記第二ガイド溝の中には前記第二スライダに固定的に接続する第二ガイドブロックがスライドできるように設置され、前記第二ガイドブロックの左端と前記第二ガイド溝の左側内壁との間に第二ばねが接続され、前記第三スライド溝の左側内壁の中には第三ガイド溝が連通して設置され、前記第三ガイド溝の中には前記第三ストッパに固定的に接続する第三ガイドブロックがスライドできるように設置され、前記第三ガイドブロックの前端と前記第三ガイド溝の前側内壁との間に第三ばねが接続される。
【０００９】
更の技術プランとしては、前記第七平歯車の後端には第二接続ブロックが回転できるように係合接続され、前記第五歯車キャビティーの後側内壁の中には第一スルーホールが連通して貫設され、前記第二接続ブロックの後端が前記第一スルーホールを通過し、前記第二接続ブロックの後端にコネクティングロッドが固定的に接続され、前記コネクティングロッドの後端にプッシュブロックが固定的に接続され、前記第二接続ブロックの中には上方に開口した第十二キャビティーが設置され、前記第一スルーホールの上側内壁の中には第四スライド溝が連通して設置され、前記第四スライド溝の中には第四スライダがスライドできるように設置され、前記第四スライダの上端と前記第四スライド溝の上側内壁との間に第四ばねが接続される。
【発明の効果】
【００１０】
本発明の有益効果は：本発明は構造が簡単で、操作が便利で、蒸気タービンを使用する時、蒸気が装置内に吹き込まれ、吸着ブレードによって伝達構造を駆動して蒸気に対して増圧し、同時に吸着ブレードと吸着膜によって蒸気内及びキャビティーの内壁にある硬い微粒を吸着し、最後にロータブレードを通じてロータを駆動して外部に動力を与え、本発明の装置は蒸気に対して回数を重ねて硬い微粒を除去し、硬い微粒によるタービン内の部品、通路及び内壁に致す損害を減少することができる上に、蒸気を圧縮して圧力値の過大をもたらした時に蒸気の進入を自動的に止めて蒸気を排出することによって減圧し、また硬い微粒吸着ブレードと硬い微粒吸着膜を取り替え、定期的にロータブレードを拭けば改めて使用できるようになり、蒸気タービンの使用寿命を延長できる。
【図面の簡単な説明】
【００１１】
【図１】図1は本発明の硬い微粒損害を減少する用の蒸気タービンの内部構成模式図である。
【図２】図2は図1の中「A-A」方向の構成模式図である。
【図３】図3は図1の中の「B」の拡大模式図である。
【図４】図4は図1の中の「C-C」方向の構成模式図である。
【図５】図5は図3の中の「D-D」方向の構成模式図である。
【図６】図6は図1の中の「E-E」方向の構成模式図である。
【発明を実施するための形態】
【００１２】
以下に図１〜6を交え本発明について詳しく説明する。便利に叙述するために、現在は後文に出る方位を下記の通りに規定する。後文に出る上下左右前後方向は図1本体の投影関係の上下左右方向と一致する。
【００１３】
図１〜6を参照し、本発明の実施例の硬い微粒損害を減少する用の蒸気タービンは、第一装置本体11と、前記第一装置本体11の中に設置される蒸気輸送装置と、前記第一装置本体11の中に設置される硬い微粒除去装置と、前記第一装置本体11の中に設置される安全装置とを含み、前記蒸気輸送装置は前記第一装置本体11の中に設置される第一キャビティー14を含み、前記第一キャビティー14の左側内壁の中には第一通路15が連通して設置され、前記第一通路15の左側内壁の中にエアポンプ 13が固設され、前記エアポンプ 13の左端には第二通路16が連通して設置され、前記第二通路16の左側内壁の中には進入通路17が連通して貫設され、前記第一装置本体11の左端には前記進入通路17に正対したボイラ12が固設され、前記第一通路15の上側内壁の中に第一歯車キャビティー20が設置され、前記第一歯車キャビティー20の中に第一平歯車21が回転できるように設置され、前記第一平歯車21の右端には前記第一キャビティー14の中に延伸して挿入する回転軸を介して第一転輪26が固定的に接続され、前記第一転輪26の円周面には規則的に分布する第一吸着ブレード27が四枚固設され、前記第一平歯車21の上端には第二平歯車22が噛合設置され、前記第二平歯車22の上端には第三平歯車23が噛合設置され、前記第三平歯車23の右端には前記第一キャビティー14の中に延伸して挿入する回転軸を介して第一傘歯車24が固定的に接続され、前記第一傘歯車24の後端には第二傘歯車25が噛合設置され、前記第二傘歯車25の後端に回転軸を介してクランク64が固定的に接続され、前記クランク64の前端右側にコンロッド65がヒンジで接続され、前記第一キャビティー14の中に第一吸着膜68がスライドできるように設置され、前記第一吸着膜68の上端面の中にスライダ67が固設され、前記スライダ67の中には上方に開口した第二キャビティー66が設置され、前記コンロッド65の下端が前記第二キャビティー66の前後両側の内壁の間に回転できるように係合接続あれ、前記第一通路15の下側内壁の中に第二歯車キャビティー28が設置され、前記第二歯車キャビティー28の中に第四平歯車29が回転できるように設置され、前記第四平歯車29の右端には前記第一キャビティー14の中に延伸して挿入する回転軸を介して第二転輪31が固定的に接続され、前記第二転輪31の円周面には規則的に分布する第二吸着ブレード32が四枚固設され、前記第四平歯車29の下端には第五平歯車30が噛合設置され、前記第五平歯車30の右端に第一回転軸33が固定的に接続され、前記第一キャビティー14の右側内壁の中には第三通路43が連通して設置され、前記第三通路43の下側内壁の中にはカムキャビティー34が連通して設置され、前記第一回転軸33の右端が延伸して前記カムキャビティー34の中に挿入し、且つ前記第一回転軸33の右端にカム35が固定的に接続され、前記カム35の上端には第一ストッパ36が当接設置され、前記第三通路43の上側内壁の中には前記カムキャビティー34に正対する第三キャビティー37が連通し設置され、前記第一ストッパ36の上端が前記第三キャビティー37の中にスライドすることができ、前記第一キャビティー14の中には第三転輪42が設置され、前記第三転輪42の右端が回転軸を介して前記第一キャビティー14の右側内壁の中に回転できるように係合接続され、前記第三転輪42の円周面には規則的に分布す��第三吸着ブレード41が四枚固設され、前記第三通路43の上側内壁の中に第三歯車キャビティー93が設置され、前記第三歯車キャビティー93の中に第六平歯車49が回転できるように設置され、前記第六平歯車49の左端には前記第一キャビティー14の中に延伸して挿入する回転軸を介して第四転輪44が固定的に接続され、前記第四転輪44の円周面には規則的に分布する第四吸着ブレード45が四枚固設され、前記第三歯車キャビティー93の右側内壁の中に第四歯車キャビティー74が設置され、前記第六平歯車49の右端には前記第四歯車キャビティー74の中に延伸して挿入する回転軸を介して第三傘歯車75が固定的に接続され、前記第三傘歯車75の後端と噛み合って第四傘歯車76が設置され、前記第四歯車キャビティー74の後側内壁の中に第五歯車キャビティー82が設置され、前記第四傘歯車76の後端には前記第五歯車キャビティー82の中に延伸して挿入する回転軸を介してセクタ歯車83が固定的に接続され、前記セクタ歯車83の下端には第七平歯車84が噛み合いでき、且つスライドできるように設置され、前記第七平歯車84の中には前に開口した第四キャビティー85が設置され、前記第七平歯車84の前側には第二回転軸81が接続できるように設置され、前記第二回転軸81の前端が前記第三通路43の中に延伸して挿入し、且つ前記第二回転軸81の前端に第二ストッパ77が固定的に接続され、前記第二ストッパ77の右端には前記第三通路43に連通して第四通路53が設置され、前記第四通路53の他端が前記エアポンプ13に連通され、前記第四通路53の右側内壁の中に第一接続ブロック78が固設され、前記第一接続ブロック78の中には左に開口し、且つ上下に貫通する第五キャビティー79が設置され、前記第四通路53の下側内壁の中に連通して第五通路51が設置され、前記第五通路51の上下両側の内壁の間には第一逆止弁52が固設され、前記第五通路51の右側内壁の中には第六キャビティー69が連通して設置され、前記第六キャビティー69の中に第三回転軸109が設置され、前記第三回転軸109の前端が前記第六キャビティー69の前側内壁に回転できるように係合接続され、前記第三回転軸109の後端が延伸して外界に伸びて他装置80に接続し、前記第三回転軸109の円周面にロータ70が固設され、前記ロータ70の円周面には規則的に分布するブレード71が七枚固設され、前記第六キャビティー69の右側内壁の中には排出通路72が連通して貫設され、蒸気が前記排出通路72を通して排出でき、前記第六キャビティー69の下側内壁の中には第六通路55が連通して設置され、前記第六通路55の中に左右両側の内壁の間には第二逆止弁56が固設され、前記第六通路55の左側内壁の中には第七通路54が連通して設置され、前記第七通路54の他端が前記エアポンプ 13と連通する。
【００１４】
有益的には、前記硬い微粒除去装置は前記第六平歯車49の上端と噛み合う第八平歯車50を含み、前記第三歯車キャビティー93の左側内壁の中に第六歯車キャビティー46が設置され、前記第八平歯車50の左端には第六歯車キャビティー46の中に延伸して挿入する回転軸を介して第五傘歯車48が固定的に接続され、前記第五傘歯車48の後端には第六傘歯車47が噛合設置され、前記第六歯車キャビティー46の後側内壁の中に第七キャビティー110が設置され、前記第六傘歯車47の後端には前記第七キャビティー110の中に延伸して挿入する回転軸を介して第一固定輪73が固定的に接続され、前記第七キャビティー110の上側内壁の中には第一連通溝57が連通して設置され、前記第一連通溝57の上側内壁の中には第八キャビティー59が設置され、前記第八キャビティー59の中に第二固定輪60が回転できるように設置され、前記第二固定輪60が回転軸を介して前記第八キャビティー59の後側内壁に回転できるように係合接続され、前記第一固定輪73の左端円周面に第二吸着膜58が巻き付くように設置され、前記第二吸着膜58の一端が前記第一連通溝57を貫通して前記第八キャビティー59の中に延伸挿入し且つ前記第二固定輪60の左端の円周面に周設され、前記第八キャビティー59の右側内壁の中には前記第四通路53に連通する第二連通溝61が連通して設置され、前記第四通路53の右側内壁の中には第九キャビティー62が連通して設置され、前記第九キャビティー62の中には第三固定輪63が上下対称して回転できるように設置され、前記第三固定輪63の前後両端が回転軸を介して前記第九キャビティー62の前後両側内壁に回転できるように係合接続され、前記第二吸着膜58の一端が前記第二連通溝61と前記第四通路53を貫通して前記第九キャビティー62の中に延伸挿入し、前記第二吸着膜58の一端が前記第三固定輪63の右端の円周面に周設され且つ前記第三固定輪のもう一端と接続される。
【００１５】
有益的には、前記安全装置は、前記第一通路15の後側内壁の中には第一スライド溝95が連通して設置され、前記第一スライド溝95の中に第一スライダ97がスライドできるように設置され、前記第一スライダ97の中には左に開口した引っ掛かり溝98が設置され、前記第一スライダ97の後端と前記第一スライド溝95の後側内壁との間に接圧ばね96が接続され、前記第一スライド溝95の左右両側内壁の中には第二スライド溝99が連通して設置され、前記第二スライド溝99の左側内壁の中には第十キャビティー104が連通して設置され、前記第十キャビティー104の左側内壁の中には前記進入通路17と連通する第三スライド溝106が連通し設置され、前記第二スライド溝99の中には第二スライダ100がスライドできるように設置され、前記第二スライダ100の左端が前記第十キャビティー104の中に延伸挿入し、前記第十キャビティー104の中には右端が前記第にスライダ100と固定的に接続する第三スライダ105がスライドできるように設置され、前記第三スライド溝106の中に第三ストッパ19がスライドできるように設置され、前記進入通路17の前側内壁の中には前記第三スライド溝106に正対する第十一キャビティー18が連通して設置され、前記第三ストッパ19が前記第十一キャビティー18の中にスライドできるということを含む。
【００１６】
有益的には、前記カムキャビティー34の右側内壁の中には第一ガイド溝38が連通して設置され、前記第一ガイド溝38の中には前記第一ストッパ36に固定的に接続する第一ガイドブロック40がスライドできるように設置され、前記第一ガイドブロック40の下端と前記第一ガイド溝38の下側内壁との間に第一ばね39が接続され、前記第二ガイド溝99の後側内壁の中には第二ガイド溝101が連通して設置され、前記第二ガイド溝101の中には前記第二スライダ100に固定的に接続する第二ガイドブロック103がスライドできるように設置され、前記第二ガイドブロック103の左端と前記第二ガイド溝101の左側内壁との間に第二ばね102が接続され、前記第三スライド溝106の左側内壁の中には第三ガイド溝108が連通して設置され、前記第三ガイド溝108の中には前記第三ストッパ19に固定的に接続する第三ガイドブロック94がスライドできるように設置され、前記第三ガイドブロック94の前端と前記第三ガイド溝108の前側内壁との間に第三ばね107が接続される。
【００１７】
有益的には、前記第七平歯車84の後端には第二接続ブロック86が回転できるように係合接続され、前記第五歯車キャビティー82の後側内壁の中には第一スルーホール87が連通して貫設され、前記第二接続ブロック86の後端が前記第一スルーホール87を通過し、前記第二接続ブロック86の後端にコネクティングロッド90が固定的に接続され、前記コネクティングロッド90の後端にプッシュブロック91が固定的に接続され、前記第二接続ブロック86の中には上方に開口した第十二キャビティー111が設置され、前記第一スルーホール87の上側内壁の中には第四スライド溝92が連通して設置され、前記第四スライド溝92の中には第四スライダ88がスライドできるように設置され、前記第四スライダ88の上端と前記第四スライド溝92の上側内壁との間に第四ばね89が接続される。
【００１８】
蒸気タービンを使用する時、エアポンプ13を起動し、ボイラ12が蒸気を生成し、更にエアポンプ 13が負圧を形成して蒸気を進入通路17と第二通路16を経由してエアポンプ13の中に吸入し、更にエアポンプ13によって第一通路15を経由して蒸気を第一キャビティ14の中に吹き込み、この時蒸気は第一吸着ブレード27を介して第一転輪26を回転駆動させ、更に第一転輪26が回転軸を介して第一平歯車21を回転駆動させ、更に第一平歯車21と第二平歯車22との間が噛み合って係合接続することによって第二平歯車22を回転駆動させ、更に第二平歯車22と第三平歯車23との間が噛み合って係合接続することによって第三平歯車23を回転駆動させ、更に第三平歯車23によって回転軸を介して第一傘歯車24を回転駆動させ、更に第一傘歯車24と第二傘歯車25との間が噛み合って係合接続することによって第二傘歯車25を回転駆動させ、更に第二傘歯車25によって回転軸を介してクランク64を回転駆動させ、更にクランク64によってコンロッド65を連動させてスイングさせ、更にコンロッド65によってスライダ67を押し動かしてスライドさせ、同時に第一吸着膜68を連動させてスライドさせ、更に第一キャビティー14のうち第一吸着膜68の下側の蒸気を圧縮し、同時に第一吸着膜68によって第一キャビティー14の前後左右四側の内壁に付着している硬い微粒を吸着し、同時に第一通路15を経由した蒸気が第二吸着ブレード32を介して第二転輪31を回転駆動させ、更に第二転輪31によって回転軸を介して第四平歯車29を回転駆動させ、更に第四平歯車29と第五平歯車30との間が噛み合って係合接続することによって第五平歯車30を回転駆動させ、更に第五平歯車30が第一回転軸33を介してカム35を回転駆動させ、更にカム35によって第一ストッパ36を押し動かしてスライドさせ、第一ストッパ36が第三キャビティ37の中に滑り上がって第三通路43を遮断する時、第一吸着膜68が下限位置までスライドし、第一ストッパ36が下限位置に到着して第三通路43と連通する時、第一吸着膜68が上限位置にスライドして到着し、この時、蒸気が第三通路43の中に入り込んで第三吸着ブレード41と第四吸着ブレード45とを介して第三転輪42と第四転輪44とを回転駆動させ、更に第四転輪44によって回転軸を介して第六平歯車49を回転駆動させ、更に第六平歯車49と第八平歯車50との間が噛み合って係合接続することによって第八平歯車50を回転駆動させ、更に第八平歯車50によって回転軸を介して第五傘歯車48を回転駆動させ、更に第五傘歯車48と第六傘歯車47との間が噛み合って係合接続することによって第六傘歯車47を回転駆動させ、更に第六傘歯車47によって回転軸を介して第一固定輪73を回転駆動させ、更に第一固定輪73と第二吸着膜58との間の摩擦力によって第二吸着膜58を連動させてスライドさせ、この時第二固定輪60と第三固定輪63とが第二吸着膜58のスライドを支援し、同時に第六平歯車49によって回転軸を介して第三傘歯車75を回転駆動させ、更に第三傘歯車75と第四傘歯車76との間が噛み合って係合接続することによって第四傘歯車76を回転駆動させ、更に第四傘歯車76によって回転軸を介してセクタ歯車83を回転駆動させ、この時プッシュブロック91を押し込み、コネクティングロッド90によって第二接続ブロック86を連動させてスライドさせ、更に第七平歯車84をスライド駆動させてセクタ歯車83と噛み��わせ、且つ第二回転軸81と接続させ、同時に第四スライダ88が第四ばね89の弾力の作用のもとで第十二キャビティー111の中に進入して第二接続ブロック86を引っ掛からせ、更にセクタ歯車83と第七平歯車84との間の間欠的な噛合係合接続によって第七平歯車84を連動させて間欠的に回転させ、更に第七平歯車84によって第二回転軸81を連動させて間欠的に回転させ、更に第二回転軸81によって第二ストッパ77を連動させて間欠的に回転させ、更に蒸気を第五通路51と第四通路53の中に間欠的に進入させ、第五通路51の中の蒸気が第一逆止弁52を経由して第六キャビティー69の中に吹き込まれ、更にブレード71を押し動かし、更にブレード71にによってロータ70と第三回転軸109とを回転駆動させ、更に他装置80に動力を供給し、第二吸着膜58が硬い微粒を二回除去した後で第四通路53の中の蒸気がエアポンプ 13に入り込み、更にエアポンプによって蒸気を第七通路54の中に吹き込み、更に第六通路55に入り込み、第七通路54と第六通路55との間の横断面が急激に増大するため、蒸気の圧力が低下して流速が下がり、更に蒸気が継続して第一逆止弁52を経由して第六キャビティー69の中に吹き込まれ、更にブレード71を押して動かし、更にブレード71によってロータ70と第三回転軸109とを連動させて異なったスピードで回転させ、更に他装置80に動力を供給し、第一キャビティー14の中の蒸気の圧力がデフォルト警報値に達する時、蒸気が第一スライダ97を押し動かし、更に接圧ばね96が圧縮され、更に第一スライダ97によって第二スライダ100を押し動かして左にスライドさせ、更に第二スライダ100によって第三スライダ105を押し動かして左にスライドさせ、更に第三スライダ105によって第三ストッパ19を押し動かして第十一キャビティー18の中まで下にスライドさせ、この時第三ストッパ19が蒸気の進入を切断して排出通路72を介して蒸気を排出し、本装置は操作が簡単であり、使用が便利であるだけでなく、蒸気に対して何回も硬い微粒除去処理をすることができ、硬い微粒によって蒸気タービンの中の部品と、通路と内壁に与える損害を減少し、また圧力値が大きすぎる時に使用を自動的に停止することができる。
【００１９】
本発明の有益効果は：本発明は構造が簡単で、操作が便利で、蒸気タービンを使用する時、蒸気が装置内に吹き込まれ、吸着ブレードによって伝達構造を駆動して蒸気に対して増圧し、同時に吸着ブレードと吸着膜によって蒸気内及びキャビティーの内壁にある硬い微粒を吸着し、最後にロータブレードを通じてロータを駆動して外部に動力を与え、本発明の装置は蒸気に対して回数を重ねて硬い微粒を除去し、硬い微粒によるタービン内の部品、通路及び内壁に致す損害を減少することができる上に、蒸気を圧縮して圧力値の過大をもたらした時に蒸気の進入を自動的に止めて蒸気を排出することによって減圧し、また硬い微粒吸着ブレードと硬い微粒吸着膜を取り替え、定期的にロータブレードを拭けば改めて使用できるようになり、蒸気タービンの使用寿命を延長できる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020070799.tif 000003
【図２】
2020070799.tif 000004
【図３】
2020070799.tif 000005
【図４】
2020070799.tif 000006
【図５】
2020070799.tif 000007
【図６】
2020070799.tif 000008
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
右上に第三固定輪が設置され、第一装置本体と、前記第一装置本体の中に設置された硬い微粒除去装置と、前記第一装置本体の中に設置された安全装置とを含み、前記硬い微粒除去装置は前記第一装置本体の中に設置された第一キャビティーを含み、前記第一キャビティーの左側内壁の中には第一通路が連通して設置され、前記第一通路の左側内壁の中にエアポンプが固設され、前記エアポンプの左端には第二通路が連通して設置され、前記第二通路の左側内壁の中には進入通路が連通して貫設され、前記第一装置本体の左端には前記進入通路に正対したボイラが固設され、前記第一通路の上側内壁の中に第一歯車キャビティーが設置され、前記第一歯車キャビティーの中に第一平歯車が回転できるように設置され、前記第一平歯車の右端には前記第一キャビティーの中に延伸して挿入する回転軸を介して第一転輪が固定的に接続され、前記第一転輪の円周面には規則的に分布する第一吸着ブレードが四枚固設され、前記第一平歯車の上端には第二平歯車が噛合設置され、前記第二平歯車の上端には第三平歯車が噛合設置され、前記第三平歯車の右端には前記第一キャビティーの中に延伸して挿入する回転軸を介して第一傘歯車が固定的に接続され、前記第一傘歯車の後端には第二傘歯車が噛合設置され、前記第二傘歯車の後端に回転軸を介してクランクが固定的に接続され、前記クランクの前端右側にコンロッドがヒンジで接続され、前記第一キャビティーの中に第一吸着膜がスライドできるように設置され、前記第一吸着膜の上端面の中にスライダが固設され、前記スライダの中には上方に開口した第二キャビティーが設置され、前記コンロッドの下端が前記第二キャビティーの前後両側の内壁の間に回転できるように係合接続あれ、前記第一通路の下側内壁の中に第二歯車キャビティーが設置され、前記第二歯車キャビティーの中に第四平歯車が回転できるように設置され、前記第四平歯車の右端には前記第一キャビティーの中に延伸して挿入する回転軸を介して第二転輪が固定的に接続され、前記第二転輪の円周面には規則的に分布する第二吸着ブレードが四枚固設され、前記第四平歯車の下端には第五平歯車が噛合設置され、前記第五平歯車の右端に第一回転軸が固定的に接続され、前記第一キャビティーの右側内壁の中には第三通路が連通して設置され、前記第三通路の下側内壁の中にはカムキャビティーが連通して設置され、前記第一回転軸の右端が延伸して前記カムキャビティーの中に挿入し、且つ前記第一回転軸の右端にカムが固定的に接続され、前記カムの上端には第一ストッパが当接設置され、前記第三通路の上側内壁の中には前記カムキャビティーに正対する第三キャビティーが連通し設置され、前記第一ストッパの上端が前記第三キャビティーの中にスライドすることができ、前記第一キャビティーの中には第三転輪が設置され、前記第三転輪の右端が回転軸を介して前記第一キャビティーの右側内壁の中に回転できるように係合接続され、前記第三転輪の円周面には規則的に分布する第三吸着ブレードが四枚固設され、前記第三通路の上側内壁の中に第三歯車キャビティーが設置され、前記第三歯車キャビティーの中に第六平歯車が回転できるように設置され、前記第六平歯車の左端には前記第一キャビティーの中に延伸して挿入する回転軸を介して第四転輪が固定的に接続され、前記第四転輪の円周面には規則的に分布する第四吸着ブレードが四枚固設され、前記第三歯車キャビティーの右側内壁の中に第四歯車キャビティーが設置され、前記第六平歯車の右端には前記第四歯車キャビティーの中に延伸して挿入する回転軸を介して第三傘歯車が固定的に接続され、前記第三傘歯車の後端と噛み合って第四傘歯車が設置され、前記第四歯車キャビティーの後側内壁の中に第五歯車キャビティーが設置され、前記第四傘歯車の後端には前記第五歯車キャビティーの中に延伸して挿入する回転軸を介してセクタ歯車が固定的に接続され、前記セクタ歯車の下端には第七平歯車が噛み合いでき、且つスライドできるように設置され、前記第七平歯車の中には前に開口した第四キャビティーが設置され、前記第七平歯車の前側には第二回転軸が接続できるように設置され、前記第二回転軸の前端が前記第三通路の中に延伸して挿入し、且つ前記第二回転軸の前端に第二ストッパが固定的に接続され、前記第二ストッパの右端には前記第三通路に連通して第四通路が設置され、前記第四通路の他端が前記エアポンプに連通されることを特徴とする硬い微粒損害を減少する用の蒸気タービン。
【請求項２】
前記第四通路の右側内壁の中に第一接続ブロックが固設され、前記第一接続ブロックの中には左に開口し、且つ上下に貫通する第五キャビティーが設置され、前記第四通路の下側内壁の中に連通して第五通路が設置され、前記第五通路の上下両側の内壁の間には第一逆止弁が固設され、前記第五通路の右側内壁の中には第六キャビティーが連通して設置され、前記第六キャビティーの中に第三回転軸が設置され、前記第三回転軸の前端が前記第六キャビティーの前側内壁に回転できるように係合接続され、前記第三回転軸の後端が延伸して外界に伸びて他装置に接続し、前記第三回転軸の円周面にロータが固設され、前記ロータの円周面には規則的に分布するブレードが七枚固設され、前記第六キャビティーの右側内壁の中には排出通路が連通して貫設され、蒸気が前記排出通路を通して排出でき、前記第六キャビティーの下側内壁の中には第六通路が連通して設置され、前記第六通路の中に左右両側の内壁の間には第二逆止弁が固設され、前記第六通路の左側内壁の中には第七通路が連通して設置され、前記第七通路の他端が前記エアポンプと連通し、前記硬い微粒除去装置は前記第六平歯車の上端と噛み合う第八平歯車を含み、前記第三歯車キャビティーの左側内壁の中に第六歯車キャビティーが設置され、前記第八平歯車の左端には第六歯車キャビティーの中に延伸して挿入する回転軸を介して第五傘歯車が固定的に接続され、前記第五傘歯車の後端には第六傘歯車が噛合設置され、前記第六歯車キャビティーの後側内壁の中に第七キャビティーが設置され、前記第六傘歯車の後端には前記第七キャビティーの中に延伸して挿入する回転軸を介して第一固定輪が固定的に接続され、前記第七キャビティーの上側内壁の中には第一連通溝が連通して設置され、前記第一連通溝の上側内壁の中には第八キャビティーが設置され、前記第八キャビティーの中に第二固定輪が回転できるように設置され、前記第二固定輪が回転軸を介して前記第八キャビティーの後側内壁に回転できるように係合接続され、前記第一固定輪の左端円周面に第二吸着膜が巻き付くように設置され、前記第二吸着膜の一端が前記第一連通溝を貫通して前記第八キャビティーの中に延伸挿入し且つ前記第二固定輪の左端の円周面に周設され、前記第八キャビティーの右側内壁の中には前記第四通路に連通する第二連通溝が連通して設置され、前記第四通路の右側内壁の中には第九キャビティーが連通して設置され、前記第九キャビティーの中には第三固定輪が上下対称して回転できるように設置され、前記第三固定輪の前後両端が回転軸を介して前記第九キャビティーの前後両側内壁に回転できるように係合接続され、前記第二吸着膜の一端が前記第二連通溝と前記第四通路を貫通して前記第九キャビティーの中に延伸挿入し、前記第二吸着膜の一端が前記第三固定輪の右端の円周面に周設され、且つ、前記第三固定輪のもう一端と接続されることを特徴とする請求項１に記載の硬い微粒損害を減少する用の蒸気タービン。
【請求項３】
前記安全装置は、前記第一通路の後側内壁の中には第一スライド溝が連通して設置され、前記第一スライド溝の中に第一スライダがスライドできるように設置され、前記第一スライダの中には左に開口した引っ掛かり溝が設置され、前記第一スライダの後端と前記第一スライド溝の後側内壁との間に接圧ばねが接続され、前記第一スライド溝の左右両側内壁の中には第二スライド溝が連通して設置され、前記第二スライド溝の左側内壁の中には第十キャビティーが連通して設置され、前記第十キャビティーの左側内壁の中には前記進入通路と連通する第三スライド溝が連通し設置され、前記第二スライド溝の中には第二スライダがスライドできるように設置され、前記第二スライダの左端が前記第十キャビティーの中に延伸挿入し、前記第十キャビティーの中には右端が前記第にスライダと固定的に接続する第三スライダがスライドできるように設置され、前記第三スライド溝の中に第三ストッパがスライドできるように設置され、前記進入通路の前側内壁の中には前記第三スライド溝に正対する第十一キャビティーが連通して設置され、前記第三ストッパが前記第十一キャビティーの中にスライドできるということを含むことを特徴とする請求項１に記載の硬い微粒損害を減少する用の蒸気タービン。
【請求項４】
前記カムキャビティーの右側内壁の中には第一ガイド溝が連通して設置され、前記第一ガイド溝の中には前記第一ストッパに固定的に接続する第一ガイドブロックがスライドできるように設置され、前記第一ガイドブロックの下端と前記第一ガイド溝の下側内壁との間に第一ばねが接続され、前記第二ガイド溝の後側内壁の中には第二ガイド溝が連通して設置され、前記第二ガイド溝の中には前記第二スライダに固定的に接続する第二ガイドブロックがスライドできるように設置され、前記第二ガイドブロックの左端と前記第二ガイド溝の左側内壁との間に第二ばねが接続され、前記第三スライド溝の左側内壁の中には第三ガイド溝が連通して設置され、前記第三ガイド溝の中には前記第三ストッパに固定的に接続する第三ガイドブロックがスライドできるように設置され、前記第三ガイドブロックの前端と前記第三ガイド溝の前側内壁との間に第三ばねが接続されることを特徴とする請求項３に記載の硬い微粒損害を減少する用の蒸気タービン。
【請求項５】
前記第七平歯車の後端には第二接続ブロックが回転できるように係合接続され、前記第五歯車キャビティーの後側内壁の中には第一スルーホールが連通して貫設され、前記第二接続ブロックの後端が前記第一スルーホールを通過し、前記第二接続ブロックの後端にコネクティングロッドが固定的に接続され、前記コネクティングロッドの後端にプッシュブロックが固定的に接続され、前記第二接続ブロックの中には上方に開口した第十二キャビティーが設置され、前記第一スルーホールの上側内壁の中には第四スライド溝が連通して設置され、前記第四スライド溝の中には第四スライダがスライドできるように設置され、前記第四スライダの上端と前記第四スライド溝の上側内壁との間に第四ばねが接続されることを特徴とする請求項１に記載の硬い微粒損害を減少する用の蒸気タービン。
【手続補正２】
【補正対象書類名】明細書
【補正対象項目名】全文
【補正方法】変更
【補正の内容】
【発明の詳細な説明】
【技術分野】
【０００１】
本発明は蒸気タービン装置分野を取り上げて、具体的には硬い微粒損害を減少する用の蒸気タービンである。
【背景技術】
【０００２】
現有の蒸気タービンの中の蒸気は基本的にはボイラにより直接蒸気タービンの通路の中に噴射し、蒸気の中には燃焼した後で生成した様々な硬い微粒が混在しており、蒸気タービンの通路内壁と、高中圧キャビティー内壁とロータブレードに損害を与え、蒸気タービンの使用寿命を低下させ、このため、硬い微粒が装置内部への損害を減少する用の改良された蒸気タービンが必要となり、本発明の装置は蒸気に対して回数を重ねて硬い微粒を除去し、硬い微粒によるタービン内の部品、通路及び内壁に致す損害を減少することができる上に、蒸気を圧縮して圧力値の過大をもたらした時に蒸気の進入を自動的に止めて蒸気を排出することによって減圧し、また硬い微粒吸着ブレードと硬い微粒吸着膜を取り替え、定期的にロータブレードを拭けば改めて使用できるようになり、蒸気タービンの使用寿命を延長できる。
【先行技術文献】
【特許文献】
【０００３】
【特許文献１】中国特許出願公開第１０１３４４０１９号明細書
【発明の概要】
【発明が解決しようとする課題】
【０００４】
本発明は解決する必要な技術問題が硬い微粒損害を減少する用の蒸気タービンを提供し、それは上記の従来技術における問題を解決できる。
【課題を解決するための手段】
【０００５】
本発明は以下の技術プランを通じて実現する。本発明の硬い微粒損害を減少する用の蒸気タービンは、右上に第三固定輪が設置され、第一装置本体と、前記第一装置本体の中に設置された硬い微粒除去装置と、前記第一装置本体の中に設置された安全装置とを含み、前記硬い微粒除去装置は前記第一装置本体の中に設置された第一キャビティーを含み、前記第一キャビティーの左側内壁の中には第一通路が連通して設置され、前記第一通路の左側内壁の中にエアポンプが固設され、前記エアポンプの左端には第二通路が連通して設置され、前記第二通路の左側内壁の中には進入通路が連通して貫設され、前記第一装置本体の左端には前記進入通路に正対したボイラが固設され、前記第一通路の上側内壁の中に第一歯車キャビティーが設置され、前記第一歯車キャビティーの中に第一平歯車が回転できるように設置され、前記第一平歯車の右端には前記第一キャビティーの中に延伸して挿入する回転軸を介して第一転輪が固定的に接続され、前記第一転輪の円周面には規則的に分布する第一吸着ブレードが四枚固設され、前記第一平歯車の上端には第二平歯車が噛合設置され、前記第二平歯車の上端には第三平歯車が噛合設置され、前記第三平歯車の右端には前記第一キャビティーの中に延伸して挿入する回転軸を介して第一傘歯車が固定的に接続され、前記第一傘歯車の後端には第二傘歯車が噛合設置され、前記第二傘歯車の後端に回転軸を介してクランクが固定的に接続され、前記クランクの前端右側にコンロッドがヒンジで接続され、前記第一キャビティーの中に第一吸着膜がスライドできるように設置され、前記第一吸着膜の上端面の中にスライダが固設され、前記スライダの中には上方に開口した第二キャビティーが設置され、前記コンロッドの下端が前記第二キャビティーの前後両側の内壁の間に回転できるように係合接続あれ、前記第一通路の下側内壁の中に第二歯車キャビティーが設置され、前記第二歯車キャビティーの中に第四平歯車が回転できるように設置され、前記第四平歯車の右端には前記第一キャビティーの中に延伸して挿入する回転軸を介して第二転輪が固定的に接続され、前記第二転輪の円周面には規則的に分布する第二吸着ブレードが四枚固設され、前記第四平歯車の下端には第五平歯車が噛合設置され、前記第五平歯車の右端に第一回転軸が固定的に接続され、前記第一キャビティーの右側内壁の中には第三通路が連通して設置され、前記第三通路の下側内壁の中にはカムキャビティーが連通して設置され、前記第一回転軸の右端が延伸して前記カムキャビティーの中に挿入し、且つ前記第一回転軸の右端にカムが固定的に接続され、前記カムの上端には第一ストッパが当接設置され、前記第三通路の上側内壁の中には前記カムキャビティーに正対する第三キャビティーが連通し設置され、前記第一ストッパの上端が前記第三キャビティーの中にスライドすることができ、前記第一キャビティーの中には第三転輪が設置され、前記第三転輪の右端が回転軸を介して前記第一キャビティーの右側内壁の中に回転できるように係合接続され、前記第三転輪の円周面には規則的に分布する第三吸着ブレードが四枚固設され、前記第三通路の上側内壁の中に第三歯車キャビティーが設置され、前記第三歯車キャビティーの中に第六平歯車が回転できるように設置され、前記第六平歯車の左端には前記第一キャビティーの中に延伸して挿入する回転軸を介して第四転輪が固定的に接続され、前記第四転輪の円周面には規則的に分布する第四吸着ブレードが四枚固設され、前記第三歯車キャビティーの右側内壁の中に第四歯車キャビティーが設置され、前記第六平歯車の右端には前記第四歯車キャビティーの中に延伸して挿入する回転軸を介して第三傘歯車が固定的に接続され、前記第三傘歯車の後端と噛み合って第四傘歯車が設置され、前記第四歯車キャビティーの後側内壁の中に第五歯車キャビティーが設置され、前記第四傘歯車の後端には前記第五歯車キャビティーの中に延伸して挿入する回転軸を介してセクタ歯車が固定的に接続され、前記セクタ歯車の下端には第七平歯車が噛み合いでき、且つスライドできるように設置され、前記第七平歯車の中には前に開口した第四キャビティーが設置され、前記第七平歯車の前側には第二回転軸が接続できるように設置され、前記第二回転軸の前端が前記第三通路の中に延伸して挿入し、且つ前記第二回転軸の前端に第二ストッパが固定的に接続され、前記第二ストッパの右端には前記第三通路に連通して第四通路が設置され、前記第四通路の他端が前記エアポンプに連通され、前記第四通路の右側内壁の中に第一接続ブロックが固設され、前記第一接続ブロックの中には左に開口し、且つ上下に貫通する第五キャビティーが設置され、前記第四通路の下側内壁の中に連通して第五通路が設置され、前記第五通路の上下両側の内壁の間には第一逆止弁が固設され、前記第五通路の右側内壁の中には第六キャビティーが連通して設置され、前記第六キャビティーの中に第三回転軸が設置され、前記第三回転軸の前端が前記第六キャビティーの前側内壁に回転できるように係合接続され、前記第三回転軸の後端が延伸して外界に伸びて他装置に接続し、前記第三回転軸の円周面にロータが固設され、前記ロータの円周面には規則的に分布するブレードが七枚固設され、前記第六キャビティーの右側内壁の中には排出通路が連通して貫設され、蒸気が前記排出通路を通して排出でき、前記第六キャビティーの下側内壁の中には第六通路が連通して設置され、前記第六通路の中に左右両側の内壁の間には第二逆止弁が固設され、前記第六通路の左側内壁の中には第七通路が連通して設置され、前記第七通路の他端が前記エアポンプと連通する。
【０００６】
更の技術プランとして、前記硬い微粒除去装置は前記第六平歯車の上端と噛み合う第八平歯車を含み、前記第三歯車キャビティーの左側内壁の中に第六歯車キャビティーが設置され、前記第八平歯車の左端には第六歯車キャビティーの中に延伸して挿入する回転軸を介して第五傘歯車が固定的に接続され、前記第五傘歯車の後端には第六傘歯車が噛合設置され、前記第六歯車キャビティーの後側内壁の中に第七キャビティーが設置され、前記第六傘歯車の後端には前記第七キャビティーの中に延伸して挿入する回転軸を介して第一固定輪が固定的に接続され、前記第七キャビティーの上側内壁の中には第一連通溝が連通して設置され、前記第一連通溝の上側内壁の中には第八キャビティーが設置され、前記第八キャビティーの中に第二固定輪が回転できるように設置され、前記第二固定輪が回転軸を介して前記第八キャビティーの後側内壁に回転できるように係合接続され、前記第一固定輪の左端円周面に第二吸着膜が巻き付くように設置され、前記第二吸着膜の一端が前記第一連通溝を貫通して前記第八キャビティーの中に延伸挿入し且つ前記第二固定輪の左端の円周面に周設され、前記第八キャビティーの右側内壁の中には前記第四通路に連通する第二連通溝が連通して設置され、前記第四通路の右側内壁の中には第九キャビティーが連通して設置され、前記第九キャビティーの中には第三固定輪が上下対称して回転できるように設置され、前記第三固定輪の前後両端が回転軸を介して前記第九キャビティーの前後両側内壁に回転できるように係合接続され、前記第二吸着膜の一端が前記第二連通溝と前記第四通路を貫通して前記第九キャビティーの中に延伸挿入し、前記第二吸着膜の一端が前記第三固定輪の右端の円周面に周設され且つ前記第三固定輪のもう一端と接続される。
【０００７】
更の技術プランとして、前記安全装置は、前記第一通路の後側内壁の中には第一スライド溝が連通して設置され、前記第一スライド溝の中に第一スライダがスライドできるように設置され、前記第一スライダの中には左に開口した引っ掛かり溝が設置され、前記第一スライダの後端と前記第一スライド溝の後側内壁との間に接圧ばねが接続され、前記第一スライド溝の左右両側内壁の中には第二スライド溝が連通して設置され、前記第二スライド溝の左側内壁の中には第十キャビティーが連通して設置され、前記第十キャビティーの左側内壁の中には前記進入通路と連通する第三スライド溝が連通し設置され、前記第二スライド溝の中には第二スライダがスライドできるように設置され、前記第二スライダの左端が前記第十キャビティーの中に延伸挿入し、前記第十キャビティーの中には右端が前記第にスライダと固定的に接続する第三スライダがスライドできるように設置され、前記第三スライド溝の中に第三ストッパがスライドできるように設置され、前記進入通路の前側内壁の中には前記第三スライド溝に正対する第十一キャビティーが連通して設置され、前記第三ストッパが前記第十一キャビティーの中にスライドできるということを含む。
【０００８】
更の技術プランとして、前記カムキャビティーの右側内壁の中には第一ガイド溝が連通して設置され、前記第一ガイド溝の中には前記第一ストッパに固定的に接続する第一ガイドブロックがスライドできるように設置され、前記第一ガイドブロックの下端と前記第一ガイド溝の下側内壁との間に第一ばねが接続され、前記第二ガイド溝の後側内壁の中には第二ガイド溝が連通して設置され、前記第二ガイド溝の中には前記第二スライダに固定的に接続する第二ガイドブロックがスライドできるように設置され、前記第二ガイドブロックの左端と前記第二ガイド溝の左側内壁との間に第二ばねが接続され、前記第三スライド溝の左側内壁の中には第三ガイド溝が連通して設置され、前記第三ガイド溝の中には前記第三ストッパに固定的に接続する第三ガイドブロックがスライドできるように設置され、前記第三ガイドブロックの前端と前記第三ガイド溝の前側内壁との間に第三ばねが接続される。
【０００９】
更の技術プランとしては、前記第七平歯車の後端には第二接続ブロックが回転できるように係合接続され、前記第五歯車キャビティーの後側内壁の中には第一スルーホールが連通して貫設され、前記第二接続ブロックの後端が前記第一スルーホールを通過し、前記第二接続ブロックの後端にコネクティングロッドが固定的に接続され、前記コネクティングロッドの後端にプッシュブロックが固定的に接続され、前記第二接続ブロックの中には上方に開口した第十二キャビティーが設置され、前記第一スルーホールの上側内壁の中には第四スライド溝が連通して設置され、前記第四スライド溝の中には第四スライダがスライドできるように設置され、前記第四スライダの上端と前記第四スライド溝の上側内壁との間に第四ばねが接続される。
【発明の効果】
【００１０】
本発明の有益効果は：本発明は構造が簡単で、操作が便利で、蒸気タービンを使用する時、蒸気が装置内に吹き込まれ、吸着ブレードによって伝達構造を駆動して蒸気に対して増圧し、同時に吸着ブレードと吸着膜によって蒸気内及びキャビティーの内壁にある硬い微粒を吸着し、最後にロータブレードを通じてロータを駆動して外部に動力を与え、本発明の装置は蒸気に対して回数を重ねて硬い微粒を除去し、硬い微粒によるタービン内の部品、通路及び内壁に致す損害を減少することができる上に、蒸気を圧縮して圧力値の過大をもたらした時に蒸気の進入を自動的に止めて蒸気を排出することによって減圧し、また硬い微粒吸着ブレードと硬い微粒吸着膜を取り替え、定期的にロータブレードを拭けば改めて使用できるようになり、蒸気タービンの使用寿命を延長できる。
【図面の簡単な説明】
【００１１】
【図１】図１は本発明の硬い微粒損害を減少する用の蒸気タービンの内部構成模式図である。
【図２】図２は図１の中「Ａ−Ａ」方向の構成模式図である。
【図３】図３は図１の中の「Ｂ」の拡大模式図である。
【図４】図４は図１の中の「Ｃ−Ｃ」方向の構成模式図である。
【図５】図５は図３の中の「Ｄ−Ｄ」方向の構成模式図である。
【図６】図６は図１の中の「Ｅ−Ｅ」方向の構成模式図である。
【発明を実施するための形態】
【００１２】
以下に図１〜６を交え本発明について詳しく説明する。便利に叙述するために、現在は後文に出る方位を下記の通りに規定する。後文に出る上下左右前後方向は図１本体の投影関係の上下左右方向と一致する。
【００１３】
図１〜６を参照し、本発明の実施例の硬い微粒損害を減少する用の蒸気タービンは、右上に第三固定輪６３が設置され、第一装置本体１１と、前記第一装置本体１１の中に設置された硬い微粒除去装置と、前記第一装置本体１１の中に設置された安全装置とを含み、前記硬い微粒除去装置は前記第一装置本体１１の中に設置された第一キャビティー１４を含み、前記第一キャビティー１４の左側内壁の中には第一通路１５が連通して設置され、前記第一通路１５の左側内壁の中にエアポンプ１３が固設され、前記エアポンプ１３の左端には第二通路１６が連通して設置され、前記第二通路１６の左側内壁の中には進入通路１７が連通して貫設され、前記第一装置本体１１の左端には前記進入通路１７に正対したボイラ１２が固設され、前記第一通路１５の上側内壁の中に第一歯車キャビティー２０が設置され、前記第一歯車キャビティー２０の中に第一平歯車２１が回転できるように設置され、前記第一平歯車２１の右端には前記第一キャビティー１４の中に延伸して挿入する回転軸を介して第一転輪２６が固定的に接続され、前記第一転輪２６の円周面には規則的に分布する第一吸着ブレード２７が四枚固設され、前記第一平歯車２１の上端には第二平歯車２２が噛合設置され、前記第二平歯車２２の上端には第三平歯車２３が噛合設置され、前記第三平歯車２３の右端には前記第一キャビティー１４の中に延伸して挿入する回転軸を介して第一傘歯車２４が固定的に接続され、前記第一傘歯車２４の後端には第二傘歯車２５が噛合設置され、前記第二傘歯車２５の後端に回転軸を介してクランク６４が固定的に接続され、前記クランク６４の前端右側にコンロッド６５がヒンジで接続され、前記第一キャビティー１４の中に第一吸着膜６８がスライドできるように設置され、前記第一吸着膜６８の上端面の中にスライダ６７が固設され、前記スライダ６７の中には上方に開口した第二キャビティー６６が設置され、前記コンロッド６５の下端が前記第二キャビティー６６の前後両側の内壁の間に回転できるように係合接続あれ、前記第一通路１５の下側内壁の中に第二歯車キャビティー２８が設置され、前記第二歯車キャビティー２８の中に第四平歯車２９が回転できるように設置され、前記第四平歯車２９の右端には前記第一キャビティー１４の中に延伸して挿入する回転軸を介して第二転輪３１が固定的に接続され、前記第二転輪３１の円周面には規則的に分布する第二吸着ブレード３２が四枚固設され、前記第四平歯車２９の下端には第五平歯車３０が噛合設置され、前記第五平歯車３０の右端に第一回転軸３３が固定的に接続され、前記第一キャビティー１４の右側内壁の中には第三通路４３が連通して設置され、前記第三通路４３の下側内壁の中にはカムキャビティー３４が連通して設置され、前記第一回転軸３３の右端が延伸して前記カムキャビティー３４の中に挿入し、且つ前記第一回転軸３３の右端にカム３５が固定的に接続され、前記カム３５の上端には第一ストッパ３６が当接設置され、前記第三通路４３の上側内壁の中には前記カムキャビティー３４に正対する第三キャビティー３７が連通し設置され、前記第一ストッパ３６の上端が前記第三キャビティー３７の中にスライドすることができ、前記第一キャビティー１４の中には第三転輪４２が設置され、前記第三転輪４２の右端が回転軸を介して前記第一キャビティー１４の右側内壁の中に回転できるように係合接続され、前記第三転輪４２の円周面には規則的に分布する第三吸着ブレード４１が四枚固設され、前記第三通路４３の上側内壁の中に第三歯車キャビティー９３が設置され、前記第三歯車キャビティー９３の中に第六平歯車４９が回転できるように設置され、前記第六平歯車４９の左端には前記第一キャビティー１４の中に延伸して挿入する回転軸を介して第四転輪４４が固定的に接続され、前記第四転輪４４の円周面には規則的に分布する第四吸着ブレード４５が四枚固設され、前記第三歯車キャビティー９３の右側内壁の中に第四歯車キャビティー７４が設置され、前記第六平歯車４９の右端には前記第四歯車キャビティー７４の中に延伸して挿入する回転軸を介して第三傘歯車７５が固定的に接続され、前記第三傘歯車７５の後端と噛み合って第四傘歯車７６が設置され、前記第四歯車キャビティー７４の後側内壁の中に第五歯車キャビティー８２が設置され、前記第四傘歯車７６の後端には前記第五歯車キャビティー８２の中に延伸して挿入する回転軸を介してセクタ歯車８３が固定的に接続され、前記セクタ歯車８３の下端には第七平歯車８４が噛み合いでき、且つスライドできるように設置され、前記第七平歯車８４の中には前に開口した第四キャビティー８５が設置され、前記第七平歯車８４の前側には第二回転軸８１が接続できるように設置され、前記第二回転軸８１の前端が前記第三通路４３の中に延伸して挿入し、且つ前記第二回転軸８１の前端に第二ストッパ７７が固定的に接続され、前記第二ストッパ７７の右端には前記第三通路４３に連通して第四通路５３が設置され、前記第四通路５３の他端が前記エアポンプ１３に連通され、前記第四通路５３の右側内壁の中に第一接続ブロック７８が固設され、前記第一接続ブロック７８の中には左に開口し、且つ上下に貫通する第五キャビティー７９が設置され、前記第四通路５３の下側内壁の中に連通して第五通路５１が設置され、前記第五通路５１の上下両側の内壁の間には第一逆止弁５２が固設され、前記第五通路５１の右側内壁の中には第六キャビティー６９が連通して設置され、前記第六キャビティー６９の中に第三回転軸１０９が設置され、前記第三回転軸１０９の前端が前記第六キャビティー６９の前側内壁に回転できるように係合接続され、前記第三回転軸１０９の後端が延伸して外界に伸びて他装置８０に接続し、前記第三回転軸１０９の円周面にロータ７０が固設され、前記ロータ７０の円周面には規則的に分布するブレード７１が七枚固設され、前記第六キャビティー６９の右側内壁の中には排出通路７２が連通して貫設され、蒸気が前記排出通路７２を通して排出でき、前記第六キャビティー６９の下側内壁の中には第六通路５５が連通して設置され、前記第六通路５５の中に左右両側の内壁の間には第二逆止弁５６が固設され、前記第六通路５５の左側内壁の中には第七通路５４が連通して設置され、前記第七通路５４の他端が前記エアポンプ１３と連通する。
【００１４】
有益的には、前記硬い微粒除去装置は前記第六平歯車４９の上端と噛み合う第八平歯車５０を含み、前記第三歯車キャビティー９３の左側内壁の中に第六歯車キャビティー４６が設置され、前記第八平歯車５０の左端には第六歯車キャビティー４６の中に延伸して挿入する回転軸を介して第五傘歯車４８が固定的に接続され、前記第五傘歯車４８の後端には第六傘歯車４７が噛合設置され、前記第六歯車キャビティー４６の後側内壁の中に第七キャビティー１１０が設置され、前記第六傘歯車４７の後端には前記第七キャビティー１１０の中に延伸して挿入する回転軸を介して第一固定輪７３が固定的に接続され、前記第七キャビティー１１０の上側内壁の中には第一連通溝５７が連通して設置され、前記第一連通溝５７の上側内壁の中には第八キャビティー５９が設置され、前記第八キャビティー５９の中に第二固定輪６０が回転できるように設置され、前記第二固定輪６０が回転軸を介して前記第八キャビティー５９の後側内壁に回転できるように係合接続され、前記第一固定輪７３の左端円周面に第二吸着膜５８が巻き付くように設置され、前記第二吸着膜５８の一端が前記第一連通溝５７を貫通して前記第八キャビティー５９の中に延伸挿入し且つ前記第二固定輪６０の左端の円周面に周設され、前記第八キャビティー５９の右側内壁の中には前記第四通路５３に連通する第二連通溝６１が連通して設置され、前記第四通路５３の右側内壁の中には第九キャビティー６２が連通して設置され、前記第九キャビティー６２の中には第三固定輪６３が上下対称して回転できるように設置され、前記第三固定輪６３の前後両端が回転軸を介して前記第九キャビティー６２の前後両側内壁に回転できるように係合接続され、前記第二吸着膜５８の一端が前記第二連通溝６１と前記第四通路５３を貫通して前記第九キャビティー６２の中に延伸挿入し、前記第二吸着膜５８の一端が前記第三固定輪６３の右端の円周面に周設され且つ前記第三固定輪のもう一端と接続される。
【００１５】
有益的には、前記安全装置は、前記第一通路１５の後側内壁の中には第一スライド溝９５が連通して設置され、前記第一スライド溝９５の中に第一スライダ９７がスライドできるように設置され、前記第一スライダ９７の中には左に開口した引っ掛かり溝９８が設置され、前記第一スライダ９７の後端と前記第一スライド溝９５の後側内壁との間に接圧ばね９６が接続され、前記第一スライド溝９５の左右両側内壁の中には第二スライド溝９９が連通して設置され、前記第二スライド溝９９の左側内壁の中には第十キャビティー１０４が連通して設置され、前記第十キャビティー１０４の左側内壁の中には前記進入通路１７と連通する第三スライド溝１０６が連通し設置され、前記第二スライド溝９９の中には第二スライダ１００がスライドできるように設置され、前記第二スライダ１００の左端が前記第十キャビティー１０４の中に延伸挿入し、前記第十キャビティー１０４の中には右端が前記第にスライダ１００と固定的に接続する第三スライダ１０５がスライドできるように設置され、前記第三スライド溝１０６の中に第三ストッパ１９がスライドできるように設置され、前記進入通路１７の前側内壁の中には前記第三スライド溝１０６に正対する第十一キャビティー１８が連通して設置され、前記第三ストッパ１９が前記第十一キャビティー１８の中にスライドできるということを含む。
【００１６】
有益的には、前記カムキャビティー３４の右側内壁の中には第一ガイド溝３８が連通して設置され、前記第一ガイド溝３８の中には前記第一ストッパ３６に固定的に接続する第一ガイドブロック４０がスライドできるように設置され、前記第一ガイドブロック４０の下端と前記第一ガイド溝３８の下側内壁との間に第一ばね３９が接続され、前記第二ガイド溝９９の後側内壁の中には第二ガイド溝１０１が連通して設置され、前記第二ガイド溝１０１の中には前記第二スライダ１００に固定的に接続する第二ガイドブロック１０３がスライドできるように設置され、前記第二ガイドブロック１０３の左端と前記第二ガイド溝１０１の左側内壁との間に第二ばね１０２が接続され、前記第三スライド溝１０６の左側内壁の中には第三ガイド溝１０８が連通して設置され、前記第三ガイド溝１０８の中には前記第三ストッパ１９に固定的に接続する第三ガイドブロック９４がスライドできるように設置され、前記第三ガイドブロック９４の前端と前記第三ガイド溝１０８の前側内壁との間に第三ばね１０７が接続される。
【００１７】
有益的には、前記第七平歯車８４の後端には第二接続ブロック８６が回転できるように係合接続され、前記第五歯車キャビティー８２の後側内壁の中には第一スルーホール８７が連通して貫設され、前記第二接続ブロック８６の後端が前記第一スルーホール８７を通過し、前記第二接続ブロック８６の後端にコネクティングロッド９０が固定的に接続され、前記コネクティングロッド９０の後端にプッシュブロック９１が固定的に接続され、前記第二接続ブロック８６の中には上方に開口した第十二キャビティー１１１が設置され、前記第一スルーホール８７の上側内壁の中には第四スライド溝９２が連通して設置され、前記第四スライド溝９２の中には第四スライダ８８がスライドできるように設置され、前記第四スライダ８８の上端と前記第四スライド溝９２の上側内壁との間に第四ばね８９が接続される。
【００１８】
蒸気タービンを使用する時、エアポンプ１３を起動し、ボイラ１２が蒸気を生成し、更にエアポンプ１３が負圧を形成して蒸気を進入通路１７と第二通路１６を経由してエアポンプ１３の中に吸入し、更にエアポンプ１３によって第一通路１５を経由して蒸気を第一キャビティ１４の中に吹き込み、この時蒸気は第一吸着ブレード２７を介して第一転輪２６を回転駆動させ、更に第一転輪２６が回転軸を介して第一平歯車２１を回転駆動させ、更に第一平歯車２１と第二平歯車２２との間が噛み合って係合接続することによって第二平歯車２２を回転駆動させ、更に第二平歯車２２と第三平歯車２３との間が噛み合って係合接続することによって第三平歯車２３を回転駆動させ、更に第三平歯車２３によって回転軸を介して第一傘歯車２４を回転駆動させ、更に第一傘歯車２４と第二傘歯車２５との間が噛み合って係合接続することによって第二傘歯車２５を回転駆動させ、更に第二傘歯車２５によって回転軸を介してクランク６４を回転駆動させ、更にクランク６４によってコンロッド６５を連動させてスイングさせ、更にコンロッド６５によってスライダ６７を押し動かしてスライドさせ、同時に第一吸着膜６８を連動させてスライドさせ、更に第一キャビティー１４のうち第一吸着膜６８の下側の蒸気を圧縮し、同時に第一吸着膜６８によって第一キャビティー１４の前後左右四側の内壁に付着している硬い微粒を吸着し、同時に第一通路１５を経由した蒸気が第二吸着ブレード３２を介して第二転輪３１を回転駆動させ、更に第二転輪３１によって回転軸を介して第四平歯車２９を回転駆動させ、更に第四平歯車２９と第五平歯車３０との間が噛み合って係合接続することによって第五平歯車３０を回転駆動させ、更に第五平歯車３０が第一回転軸３３を介してカム３５を回転駆動させ、更にカム３５によって第一ストッパ３６を押し動かしてスライドさせ、第一ストッパ３６が第三キャビティ３７の中に滑り上がって第三通路４３を遮断する時、第一吸着膜６８が下限位置までスライドし、第一ストッパ３６が下限位置に到着して第三通路４３と連通する時、第一吸着膜６８が上限位置にスライドして到着し、この時、蒸気が第三通路４３の中に入り込んで第三吸着ブレード４１と第四吸着ブレード４５とを介して第三転輪４２と第四転輪４４とを回転駆動させ、更に第四転輪４４によって回転軸を介して第六平歯車４９を回転駆動させ、更に第六平歯車４９と第八平歯車５０との間が噛み合って係合接続することによって第八平歯車５０を回転駆動させ、更に第八平歯車５０によって回転軸を介して第五傘歯車４８を回転駆動させ、更に第五傘歯車４８と第六傘歯車４７との間が噛み合って係合接続することによって第六傘歯車４７を回転駆動させ、更に第六傘歯車４７によって回転軸を介して第一固定輪７３を回転駆動させ、更に第一固定輪７３と第二吸着膜５８との間の摩擦力によって第二吸着膜５８を連動させてスライドさせ、この時第二固定輪６０と第三固定輪６３とが第二吸着膜５８のスライドを支援し、同時に第六平歯車４９によって回転軸を介して第三傘歯車７５を回転駆動させ、更に第三傘歯車７５と第四傘歯車７６との間が噛み合って係合接続することによって第四傘歯車７６を回転駆動させ、更に第四傘歯車７６によって回転軸を介してセクタ歯車８３を回転駆動させ、この時プッシュブロック９１を押し込み、コネクティングロッド９０によって第二接続ブロック８６を連動させてスライドさせ、更に第七平歯車８４をスライド駆動させてセクタ歯車８３と噛み合わせ、且つ第二回転軸８１と接続させ、同時に第四スライダ８８が第四ばね８９の弾力の作用のもとで第十二キャビティー１１１の中に進入して第二接続ブロック８６を引っ掛からせ、更にセクタ歯車８３と第七平歯車８４との間の間欠的な噛合係合接続によって第七平歯車８４を連動させて間欠的に回転させ、更に第七平歯車８４によって第二回転軸８１を連動させて間欠的に回転させ、更に第二回転軸８１によって第二ストッパ７７を連動させて間欠的に回転させ、更に蒸気を第五通路５１と第四通路５３の中に間欠的に進入させ、第五通路５１の中の蒸気が第一逆止弁５２を経由して第六キャビティー６９の中に吹き込まれ、更にブレード７１を押し動かし、更にブレード７１にによってロータ７０と第三回転軸１０９とを回転駆動させ、更に他装置８０に動力を供給し、第二吸着膜５８が硬い微粒を二回除去した後で第四通路５３の中の蒸気がエアポンプ１３に入り込み、更にエアポンプによって蒸気を第七通路５４の中に吹き込み、更に第六通路５５に入り込み、第七通路５４と第六通路５５との間の横断面が急激に増大するため、蒸気の圧力が低下して流速が下がり、更に蒸気が継続して第一逆止弁５２を経由して第六キャビティー６９の中に吹き込まれ、更にブレード７１を押して動かし、更にブレード７１によってロータ７０と第三回転軸１０９とを連動させて異なったスピードで回転させ、更に他装置８０に動力を供給し、第一キャビティー１４の中の蒸気の圧力がデフォルト警報値に達する時、蒸気が第一スライダ９７を押し動かし、更に接圧ばね９６が圧縮され、更に第一スライダ９７によって第二スライダ１００を押し動かして左にスライドさせ、更に第二スライダ１００によって第三スライダ１０５を押し動かして左にスライドさせ、更に第三スライダ１０５によって第三ストッパ１９を押し動かして第十一キャビティー１８の中まで下にスライドさせ、この時第三ストッパ１９が蒸気の進入を切断して排出通路７２を介して蒸気を排出し、本装置は操作が簡単であり、使用が便利であるだけでなく、蒸気に対して何回も硬い微粒除去処理をすることができ、硬い微粒によって蒸気タービンの中の部品と、通路と内壁に与える損害を減少し、また圧力値が大きすぎる時に使用を自動的に停止することができる。
【００１９】
本発明の有益効果は：本発明は構造が簡単で、操作が便利で、蒸気タービンを使用する時、蒸気が装置内に吹き込まれ、吸着ブレードによって伝達構造を駆動して蒸気に対して増圧し、同時に吸着ブレードと吸着膜によって蒸気内及びキャビティーの内壁にある硬い微粒を吸着し、最後にロータブレードを通じてロータを駆動して外部に動力を与え、本発明の装置は蒸気に対して回数を重ねて硬い微粒を除去し、硬い微粒によるタービン内の部品、通路及び内壁に致す損害を減少することができる上に、蒸気を圧縮して圧力値の過大をもたらした時に蒸気の進入を自動的に止めて蒸気を排出することによって減圧し、また硬い微粒吸着ブレードと硬い微粒吸着膜を取り替え、定期的にロータブレードを拭けば改めて使用できるようになり、蒸気タービンの使用寿命を延長できる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。